【手続補正書】
【提出日】平成17年12月21日(2005.12.21)
【手続補正１】
【補正対象書類名】明細書
【補正対象項目名】発明の名称
【補正方法】変更
【補正の内容】
【発明の名称】情報処理装置およびＩＣカードシステム
【手続補正２】
【補正対象書類名】明細書
【補正対象項目名】特許請求の範囲
【補正方法】変更
【補正の内容】
【特許請求の範囲】
【請求項１】  非接触ＩＣカードへ動作電力／データ伝送を第１の周波数で行う送信用アンテナコイルと、
この送信用アンテナコイルと重なる位置に設けられるとともに、互いに巻き方向が異なり且つ互いに巻き数または面積が異なる複数のループで形成され、前記第１の周波数と異なる第２の周波数により前記非接触ＩＣカードから送信されたデータを受信する受信用アンテナコイルと、
を具備したことを特徴とする情報処理装置。
【請求項２】  請求項１に記載の情報処理装置において、
前記受信用アンテナコイルを形成する複数のループは、その個数が、前記動作電力／データ送信の周波数の種類数をｎとした場合に（ｎ+１）個以上であることを特徴とする情報処理装置。
【請求項３】  請求項１に記載の情報処理装置において、
前記受信用アンテナコイルを形成する複数のループは、巻き方向Ｒｋを時計回り方向で“＋１”、反時計回り方向で“−１”、巻き数を“Ｎｋ”、面積を“Ｓｋ”と定義し、これら数値の積（＝Ｒｋ×Ｎｋ×Ｓｋ）をループごとに求めて加算した場合に、加算値が零とならないことを特徴とする情報処理装置。
【請求項４】  請求項１に記載の情報処理装置において、
前記送信用アンテナコイルおよび受信用アンテナコイルは、いずれか一方が他方を包含するサイズまたは同一のサイズであることを特徴とする情報処理装置。
【請求項５】  情報処理装置から非接触ＩＣカードへの動作電力／データ送信、および非接触ＩＣカードから情報処理装置へのデータ送信を互いに異なる周波数で行うＩＣカードシステムにおいて、
前記情報処理装置に設けられ非接触ＩＣカードへの動作電力／データ送信を行う送信用アンテナコイルと、
この送信用アンテナコイルと重なる位置に設けられ、前記非接触ＩＣカードからの送信を受信する受信用アンテナコイルと、
前記非接触ＩＣカードに設けられた送受信用アンテナコイルとを具備し、
前記送受信用アンテナコイルは、そのサイズを必要最大平面通信エリアより小さくする場合に、情報処理装置の送信用アンテナコイルおよび受信用アンテナコイルと非接触ＩＣカードの送受信用アンテナコイルとの重なる面積が、非接触ＩＣカードの送受信用アンテナコイルを必要最大平面通信エリア内のどこにおいても非接触ＩＣカードの送受信用アンテナコイル面積の１／２以上となる位置に設けることを特徴とするＩＣカードシステム。
【請求項６】  請求項５に記載のＩＣカードシステムにおいて、
前記情報処理装置の送信用アンテナコイルおよび受信用アンテナコイルは、送信用アンテナコイルのサイズを必要最大平面通信エリアより小さくする場合、かつ受信用アンテナコイルのサイズを送信用アンテナコイルのサイズより小さくする場合に、情報処理装置の送信用アンテナコイルおよび受信用アンテナコイルと非接触ＩＣカードの送受信用アンテナコイルとの重なる面積が、非接触ＩＣカードの送受信用アンテナコイルを情報処理装置の送信用アンテナコイル内のどこにおいても非接触ＩＣカードの送受信用アンテナコイル面積の１／２以上となる位置に設けることを特徴とするＩＣカードシステム。
【手続補正３】
【補正対象書類名】明細書
【補正対象項目名】０００１
【補正方法】変更
【補正の内容】
【０００１】
【発明の属する技術分野】
この発明は、非接触ＩＣカードとの間で送受信を行う情報処理装置、およびその情報処理装置と非接触ＩＣカードからなるＩＣカードシステムに関する。
【手続補正４】
【補正対象書類名】明細書
【補正対象項目名】００１１
【補正方法】変更
【補正の内容】
【００１１】
【課題を解決するための手段】
請求項１に係る発明の情報処理装置は、非接触ＩＣカードへ動作電力／データ伝送を第１の周波数で行う送信用アンテナコイルと、この送信用アンテナコイルと重なる位置に設けられるとともに、互いに巻き方向が異なり且つ互いに巻き数または面積が異なる複数のループで形成され、上記第１の周波数と異なる第２の周波数により上記非接触ＩＣカードから送信されたデータを受信する受信用アンテナコイルと、を備える。
【手続補正５】
【補正対象書類名】明細書
【補正対象項目名】００１２
【補正方法】変更
【補正の内容】
【００１２】
請求項２に係る発明の情報処理装置は、請求項１に係る発明において、受信用アンテナコイルを形成する複数のループの個数が、動作電力駆動動力／データ送信の周波数の種類数をｎとした場合に（ｎ+１）個以上である。
【手続補正６】
【補正対象書類名】明細書
【補正対象項目名】００１３
【補正方法】変更
【補正の内容】
【００１３】
請求項３に係る発明の情報処理装置は、請求項１に係る発明において、受信用アンテナコイルを形成する複数のループは、巻き方向Ｒｋを時計回り方向で“＋１”、反時計回り方向で“−１”、巻き数を“Ｎｋ”、面積を“Ｓｋ”と定義し、これら数値の積（＝Ｒｋ×Ｎｋ×Ｓｋ）をループごとに求めて加算した場合に、加算値が零とならない。
【手続補正７】
【補正対象書類名】明細書
【補正対象項目名】００１４
【補正方法】変更
【補正の内容】
【００１４】
請求項４に係る発明の情報処理装置は、請求項１に係る発明において、送信用アンテナコイルおよび受信用アンテナコイルが、いずれか一方が他方を包含するサイズまたは同一のサイズである。
【手続補正８】
【補正対象書類名】明細書
【補正対象項目名】００１５
【補正方法】変更
【補正の内容】
【００１５】
請求項５に係る発明のＩＣカードシステムは、情報処理装置から非接触ＩＣカードへの動作電力／データ送信、および非接触ＩＣカードから情報処理装置へのデータ送信を互いに異なる周波数で行うものであって、情報処理装置に設けられ非接触ＩＣカードへの動作電力／データ送信を行う送信用アンテナコイルと、この送信用アンテナコイルと重なる位置に設けられ、非接触ＩＣカードからの送信を受信する受信用アンテナコイルと、非接触ＩＣカードに設けられた送受信用アンテナコイルとを備え、とくに送信用アンテナコイルは、そのサイズを必要最大平面通信エリアより小さくする場合に、情報処理装置の送信用アンテナコイルおよび受信用アンテナコイルと非接触ＩＣカードの送受信用アンテナコイルとの重なる面積が、非接触ＩＣカードの送受信用アンテナコイルを必要最大平面通信エリア内のどこにおいても非接触ＩＣカードの送受信用アンテナコイル面積の１／２以上となる位置に設ける。
【手続補正９】
【補正対象書類名】明細書
【補正対象項目名】００１６
【補正方法】変更
【補正の内容】
【００１６】
請求項６に係る発明のＩＣカードシステムは、請求項５に係る発明において、情報処理装置の送信用アンテナコイルおよび受信用アンテナコイルは、送信用アンテナコイルのサイズを必要最大平面通信エリアより小さくする場合、かつ受信用アンテナコイルのサイズを送信用アンテナコイルのサイズより小さくする場合に、情報処理装置の送信用アンテナコイルおよび受信用アンテナコイルと非接触ＩＣカードの送受信用アンテナコイルとの重なる面積が、非接触ＩＣカードの送受信用アンテナコイルを情報処理装置の送信用アンテナコイル内のどこにおいても非接触ＩＣカードの送受信用アンテナコイル面積の１／２以上となる位置に設ける。
【手続補正１０】
【補正対象書類名】明細書
【補正対象項目名】００７８
【補正方法】変更
【補正の内容】
【００７８】
【発明の効果】
以上述べたようにこの発明によれば、
非接触ＩＣカードへ動作電力／データ送信を第１の周波数で行う送信用アンテナコイルと、この送信用アンテナコイルと重なる位置に設けられるとともに、互いに巻き方向が異なり且つ互いに巻き数または面積が異なる複数のループで形成され、第１の周波数と異なる第２の周波数により非接触ＩＣカードから送信されたデータを受信する受信用アンテナコイルとを設けたので、非接触ＩＣカードのアンテナ仕様の変化にかかわらず、また高価な受信フィルタを採用する必要なく、システムとして十分な通信エリアを確保して確実な通信を行うことができる信頼性および経済性にすぐれた情報処理装置を提供できる。
【手続補正１１】
【補正対象書類名】明細書
【補正対象項目名】００７９
【補正方法】変更
【補正の内容】
【００７９】
また、この発明によれば、情報処理装置から非接触ＩＣカードへの動作電力／データ送信、および非接触ＩＣカードから情報処理装置へのデータ送信を互いに異なる周波数で行うＩＣカードシステムにおいて、情報処理装置に設けられ非接触ＩＣカードへの動作電力／データ送信を行う送信用アンテナコイルと、この送信用アンテナコイルと重なる位置に設けられ、非接触ＩＣカードからの送信を受信する受信用アンテナコイルと、非接触ＩＣカードに設けられた送受信用アンテナコイルとを備え、送信用アンテナコイルは、そのサイズを必要最大平面通信エリアより小さくする場合に、情報処理装置の送信用アンテナコイルおよび受信用アンテナコイルと非接触ＩＣカードの送受信用アンテナコイルとの重なる面積が、非接触ＩＣカードの送受信用アンテナコイルを必要最大平面通信エリア内のどこにおいても非接触ＩＣカードの送受信用アンテナコイル面積の１／２以上となる位置に設ける構成としたので、非接触ＩＣカードのアンテナ仕様の変化にかかわらず、また高価な受信フィルタを採用する必要なく、システムとして十分な通信エリアを確保して確実な通信を行うことができる信頼性および経済性にすぐれたＩＣカードシステムを提供できる。
ことを特徴とするＩＣカードシステム。